(57)【要約】【課題】肌側から見たときに、吸収体の輪郭を認識しやすい吸収性物品を提供すること。【解決手段】互いに直交する長手方向、幅方向、及び厚さ方向を有し、吸収体と、前記幅方向の両端部に設けられた一対のサイドシートとを有する吸収性物品であって、一対の前記サイドシートは、貫通孔を有さず、前記幅方向において、一方側の前記サイドシートの内側の端は、前記吸収体の前記一方側の端より外側に位置しており、前記幅方向において、他方側の前記サイドシートの内側の端は、前記吸収体の前記他方側の端より外側に位置しており、肌側から前記吸収性物品を見たときに前記吸収体の前記一方側の端及び前記他方側の端を視認可能であることを特徴とする吸収性物品。【選択図】図１
2017176741.tif 000002
【特許請求の範囲】
【請求項１】
互いに直交する長手方向、幅方向、及び厚さ方向を有し、
吸収体と、
前記幅方向の両端部に設けられた一対のサイドシートとを有する吸収性物品であって、
一対の前記サイドシートは、貫通孔を有さず、
前記幅方向において、一方側の前記サイドシートの内側の端は、前記吸収体の前記一方側の端より外側に位置しており、
前記幅方向において、他方側の前記サイドシートの内側の端は、前記吸収体の前記他方側の端より外側に位置しており、
肌側から前記吸収性物品を見たときに前記吸収体の前記一方側の端及び前記他方側の端を視認可能であることを特徴とする吸収性物品。
【請求項２】
請求項１に記載の吸収性物品であって、
前記厚さ方向において、前記吸収体より非肌側に配置された非肌側シートを有しており、
前記吸収体の色と、前記非肌側シートの肌側面の色とが異なっていることを特徴とする吸収性物品。
【請求項３】
請求項２に記載の吸収性物品であって、
前記吸収体が着色されていることを特徴とする吸収性物品。
【請求項４】
請求項２又は３に記載の吸収性物品であって、
前記非肌側シートの少なくとも肌側面が着色されていることを特徴とする吸収性物品。
【請求項５】
請求項１から４のいずれか１項に記載の吸収性物品であって、
前記厚さ方向において、前記吸収体より肌側に配置された肌側シートと、
前記厚さ方向において、前記吸収体より非肌側に配置された非肌側シートを有しており、
肌側から前記吸収性物品を見たときの、
前記肌側シートと重なった前記吸収体の前記幅方向における端部領域の色と、
前記肌側シートと前記非肌側シートを備え、前記端部領域に前記幅方向の外側から隣接する第１領域の色と、
前記肌側シートと前記サイドシートと前記非肌側シートとを備え、前記第１領域に前記幅方向の外側から隣接する第２領域の色のうち、
前記第１領域の色が、最も濃いこと、又は、最も薄いことを特徴とする吸収性物品。
【請求項６】
請求項５に記載の吸収性物品であって、
肌側から前記吸収性物品を見たときの、
前記端部領域の色と、
前記第１領域の色と、
前記第２領域の色と、
前記サイドシートと前記非肌側シートとを備え、前記第２領域に前記幅方向の外側から隣接する第３領域の色のうち、
前記第１領域の色が、最も濃いこと、又は、最も薄いことを特徴とする吸収性物品。
【請求項７】
請求項６に記載の吸収性物品であって、
前記非肌側シートより非肌側に、吸収性物品を包装する包装材を有しており、
肌側から前記吸収性物品を見たときの、
前記端部領域の色と、
前記第１領域の色と、
前記第２領域の色と、
前記第３領域の色と、
前記包装材を備え、前記第３領域に前記幅方向の外側から隣接する包装領域の色のうち、
前記第１領域の色が、最も濃いこと、又は、最も薄いことを特徴とする吸収性物品。
【請求項８】
請求項１から７のいずれか１項に記載の吸収性物品であって、
前記厚さ方向において、前記吸収体より肌側に配置された肌側シートと、
前記厚さ方向において、前記吸収体と前記肌側シートの間に配置されたシート部材とを有し、
前記幅方向において、前記シート部材は、前記吸収性物品の中央部に配置されており、
前記シート部材の前記幅方向における最も長い部分の長さは、前記吸収体の前記幅方向における最も長い部分の長さより短いことを特徴とする吸収性物品。
【請求項９】
請求項８に記載の吸収性物品であって、
前記シート部材の光透過率が前記吸収体の光透過率より高いことを特徴とする吸収性物品。
【請求項１０】
請求項１から９のいずれか１項に記載の吸収性物品であって、
前記厚さ方向において、前記吸収体より肌側に配置された肌側シートと、
前記厚さ方向において、前記吸収体より非肌側に配置された非肌側シートと、
前記非肌側シートより非肌側に、吸収性物品を包装する包装材とを有しており、
前記肌側シートを内側にして折り畳まれた状態において、前記包装材及び前記非肌側シートを介して、前記吸収体の端を視認した場合よりも、
折り畳まれた状態から少なくとも一部が展開された状態において、前記肌側シートを介して前記吸収体の端を視認した場合の方が、前記吸収体の端をより視認できることを特徴とする吸収性物品。
【発明の詳細な説明】
【技術分野】
【０００１】
本発明は、吸収性物品に関する。
【背景技術】
【０００２】
吸収性物品の一例として生理用ナプキンが挙げられる。特許文献１には、人体に当接する面に位置するトップシート２と、下着に当接する面に位置するバックシート３と、トップシート２とバックシート３との間に介装される吸収体４と、吸収体４の両側縁部に設けられたサイドシート５とを備える生理用ナプキン１が開示されている。
【先行技術文献】
【特許文献】
【０００３】
【特許文献１】特開２００５−１１８５３３号公報
【発明の概要】
【発明が解決しようとする課題】
【０００４】
しかし、上記特許文献１の生理用ナプキン１では、吸収体４の幅方向の両側端部にサイドシート５が重ねられており、人体に当接する面から生理用ナプキン１を見たときに、トップシート２及びサイドシート５を介して吸収体４を見るため、吸収体４の輪郭を認識しづらかった。
【０００５】
本発明は、上記のような問題に鑑みてなされたものであって、吸収体の輪郭を認識しやすい吸収性物品を提供することを目的とする。
【課題を解決するための手段】
【０００６】
上記目的を達成するための主たる発明は、互いに直交する長手方向、幅方向、及び厚さ方向を有し、吸収体と、前記幅方向の両端部に設けられた一対のサイドシートとを有する吸収性物品であって、一対の前記サイドシートは、貫通孔を有さず、前記幅方向において、一方側の前記サイドシートの内側の端は、前記吸収体の前記一方側の端より外側に位置しており、前記幅方向において、他方側の前記サイドシートの内側の端は、前記吸収体の前記他方側の端より外側に位置しており、肌側から前記吸収性物品を見たときに前記吸収体の前記一方側の端及び前記他方側の端を視認可能であることを特徴とする吸収性物品である。  
本発明の他の特徴については、本明細書及び添付図面の記載により明らかにする。
【発明の効果】
【０００７】
本発明によれば、肌側から吸収性物品を見たときに、吸収体の輪郭を認識しやすくできる。
【図面の簡単な説明】
【０００８】
【図１】図１は、展開された状態のナプキンを厚さ方向の肌側から見た平面図である。
【図２】図２は、ナプキンを厚さ方向の非肌側から見た平面図である。
【図３】図３は、展開された状態のナプキンの長手方向中央部における概略断面図である。
【図４】図４は、展開された状態のナプキンを肌側から見た状態を説明する図である。
【図５】図５は、吸収体の端部領域（領域ｂ）の幅方向の外側から隣接する各領域について説明する図である。
【図６】図６Ａは、個包装体を説明する図である。図６Ｂは、個包装体の一部を展開したナプキンを説明する図である。図６Ｃは、図６Ｂから更に一部を展開したナプキンを説明する図である。図６Ｄは、図６Ｃから更に一部を展開したナプキンを説明する図である。図６Ｅは、図６Ｄから更に一部を展開したナプキンを説明する図である。図６Ｆは、図６Ｅから包装材を除いたナプキンを説明する図である。
【図７】図７Ａは、別の実施形態の個包装体を説明する図である。図７Ｂは、個包装体の一部を展開したナプキンを説明する図である。図７Ｃは、図７Ｂから一部を展開したナプキンを説明する図である。図７Ｄは、図７Ｃから一部を展開したナプキンを説明する図である。図７Ｅは、図７Ｄから包装材を除いたナプキンを説明する図である。
【発明を実施するための形態】
【０００９】
本明細書及び添付図面の記載により、少なくとも以下の事項が明らかとなる。  
互いに直交する長手方向、幅方向、及び厚さ方向を有し、吸収体と、前記幅方向の両端部に設けられた一対のサイドシートとを有する吸収性物品であって、一対の前記サイドシートは、貫通孔を有さず、前記幅方向において、一方側の前記サイドシートの内側の端は、前記吸収体の前記一方側の端より外側に位置しており、前記幅方向において、他方側の前記サイドシートの内側の端は、前記吸収体の前記他方側の端より外側に位置しており、肌側から前記吸収性物品を見たときに前記吸収体の前記一方側の端及び前記他方側の端を視認可能であることを特徴とする吸収性物品である。
【００１０】
このような吸収性物品によれば、幅方向において、サイドシートの内側の端が、吸収体の端より外側に設けられているから、吸収体の幅方向の端をサイドシートによって隠されない。したがって、肌側から吸収性物品を見たときに、吸収体の輪郭を認識しやすくできる。
【００１１】
かかる吸収性物品であって、前記厚さ方向において、前記吸収体より非肌側に配置された非肌側シートを有しており、前記吸収体の色と、前記非肌側シートの肌側面の色とが異なっていることを特徴とする吸収性物品である。
【００１２】
このような吸収性物品によれば、吸収体と非肌側シートの色の境界によって、吸収体の輪郭をより認識しやすくなる。
【００１３】
かかる吸収性物品であって、前記吸収体が着色されていることを特徴とする吸収性物品である。
【００１４】
このような吸収性物品によれば、吸収体が着色されていることで、吸収体の輪郭をより認識しやすくできる。
【００１５】
かかる吸収性物品であって、前記非肌側シートの少なくとも肌側面が着色されていることを特徴とする吸収性物品である。
【００１６】
このような吸収性物品によれば、非肌側シートが着色されていることで、吸収体の輪郭をより認識しやすくできる。
【００１７】
かかる吸収性物品であって、前記厚さ方向において、前記吸収体より肌側に配置された肌側シートと、前記厚さ方向において、前記吸収体より非肌側に配置された非肌側シートを有しており、肌側から前記吸収性物品を見たときの、前記肌側シートと重なった前記吸収体の前記幅方向における端部領域の色と、前記肌側シートと前記非肌側シートを備え、前記端部領域に前記幅方向の外側から隣接する第１領域の色と、前記肌側シートと前記サイドシートと前記非肌側シートとを備え、前記第１領域に前記幅方向の外側から隣接する第２領域の色のうち、前記第１領域の色が、最も濃いこと、又は、最も薄いことを特徴とする吸収性物品である。
【００１８】
このような吸収性物品によれば、肌側から吸収性物品をみたとき、互いに隣接する複数の領域のうち、第１領域の色が最も濃い、又は、最も薄いことで、吸収体の輪郭をより認識しやすくできる。
【００１９】
かかる吸収性物品であって、肌側から前記吸収性物品を見たときの、前記端部領域の色と、前記第１領域の色と、前記第２領域の色と、前記サイドシートと前記非肌側シートとを備え、前記第２領域に前記幅方向の外側から隣接する第３領域の色のうち、前記第１領域の色が、最も濃いこと、又は、最も薄いことを特徴とする吸収性物品である。
【００２０】
このような吸収性物品によれば、肌側から吸収性物品をみたとき、互いに隣接する複数の領域のうち、第１領域の色が最も濃い、又は、最も薄いことで、吸収体の輪郭をより認識しやすくできる。
【００２１】
かかる吸収性物品であって、前記非肌側シートより非肌側に、吸収性物品を包装する包装材を有しており、肌側から前記吸収性物品を見たときの、前記端部領域の色と、前記第１領域の色と、前記第２領域の色と、前記第３領域の色と、前記包装材を備え、前記第３領域に前記幅方向の外側から隣接する包装領域の色のうち、前記第１領域の色が、最も濃いこと、又は、最も薄いことを特徴とする吸収性物品である。
【００２２】
このような吸収性物品によれば、肌側から吸収性物品をみたとき、互いに隣接する複数の領域のうち、第１領域の色が最も濃い、又は、最も薄いことで、吸収体の輪郭をより認識しやすくできる。
【００２３】
かかる吸収性物品であって、前記厚さ方向において、前記吸収体より肌側に配置された肌側シートと、前記厚さ方向において、前記吸収体と前記肌側シートの間に配置されたシート部材とを有し、前記幅方向において、前記シート部材は、前記吸収性物品の中央部に配置されており、前記シート部材の前記幅方向における最も長い部分の長さは、前記吸収体の前記幅方向における最も長い部分の長さより短いことを特徴とする吸収性物品である。
【００２４】
このような吸収性物品によれば、吸収体の幅方向における最も長い部分の長さより、シート部材の幅方向における最も長い部分の長さが短いことで、吸収体の横方向における端がシート部材より幅方向の外側に位置する部分を設けられるため、吸収体の輪郭を認識しやすくできる。
【００２５】
かかる吸収性物品であって、前記シート部材の光透過率が前記吸収体の光透過率より高いことを特徴とする吸収性物品である。
【００２６】
このような吸収性物品によれば、吸収体より肌側にシート部材が設けられた場合であっても、シート部材によって吸収体が隠されてしまう恐れを軽減して、吸収体の輪郭を認識しやすくできる。
【００２７】
かかる吸収性物品であって、前記厚さ方向において、前記吸収体より肌側に配置された肌側シートと、前記厚さ方向において、前記吸収体より非肌側に配置された非肌側シートと、前記非肌側シートより非肌側に、吸収性物品を包装する包装材とを有しており、前記肌側シートを内側にして折り畳まれた状態において、前記包装材及び前記非肌側シートを介して、前記吸収体の端を視認した場合よりも、折り畳まれた状態から少なくとも一部が展開された状態において、前記肌側シートを介して前記吸収体の端を視認した場合の方が、前記吸収体の端をより視認できることを特徴とする吸収性物品である。
【００２８】
このような吸収性物品によれば、折り畳まれた状態の吸収性物品より、少なくとも一部が展開された状態の方が、吸収体の端を視認しやすくできる。
【００２９】
以下、本発明に係る吸収性物品として生理用ナプキンを例に挙げて実施形態を説明する。
【００３０】
＜展開された状態の生理用ナプキン１の基本的構成＞
図１は、展開された状態のナプキン１（以下ナプキン）を厚さ方向の肌側から見た平面図である。生理用ナプキン１（以下ナプキン）を厚さ方向の肌側から見た平面図である。図２は、ナプキン１を厚さ方向の非肌側から見た平面図である。なお、図２においては、便宜上、包装材５０を省略している。図３は、展開された状態のナプキン１の長手方向中央部の概略断面図である。ナプキン１は、互いに直交する長手方向、幅方向、及び厚さ方向を有する。また、ナプキン１の長手方向において、着用者の下腹部に当接する側を「前側」と呼び、着用者の臀部に当接する側を「後側」と呼ぶ。また、ナプキン１の厚さ方向において、着用者に当接する側を「肌側」と呼び、その反対側を「非肌側」と呼ぶ。折り畳まれたナプキン１と、ナプキン１を包装する包装材５０によって包装体１００（図６Ａ）が構成される。
【００３１】
図３に示すように、ナプキン１では、厚さ方向の肌側から順に、一対のサイドシート２と、トップシート（肌側シート）３と、セカンドシート（シート部材）４と、吸収体１０と、バックシート（非肌側シート）５が積層され、ナプキン１の非肌側に包装材５０が設けられている。各部材２，３，４，１０，５は厚さ方向に隣接する部材と不図示の接着剤で接合されている。また、ナプキン１は、吸収体１０が設けられたナプキン本体部２０と、ナプキン本体部２０の長手方向中央領域から幅方向の両外側に延出した一対のウィング部３０とを有する。但しナプキン１がウィング部３０を有さなくてもよい。
【００３２】
トップシート３は、肌側面及び非肌側面が白色の液透過性のシートであり、エアスルー不織布等を例示できる。バックシート５は、肌側面及び非肌側面が桃色の液不透過性のシートであり、ポリエチレン（ＰＥ）の樹脂フィルム等を例示できる。トップシート３及びバックシート５は、平面サイズが吸収体１０よりも大きく、吸収体１０の平面全体を覆っている。
【００３３】
サイドシート２は、ナプキン１の幅方向の両端部に設けられた一対の白色の液透過性のシートで、貫通孔を有していないシート部材である。サイドシート２の素材としては、トップシート３と同じエアスルー不織布等を例示できる。なお、サイドシート２は、液透過性のシートであっても液不透過性のシートであってもよい。
【００３４】
一対のサイドシート２は、トップシート３の幅方向の両側部から幅方向の外側に延出しており、バックシート５と共に一対のウィング部３０を形成する。また、サイドシート２は、厚さ方向において、吸収体１０と重なる部分を有していない。つまり、幅方向において、吸収体１０は中央部に設けられており、各サイドシート２は吸収体１０より外側に設けられている。幅方向における、一方側（例えば、図１の左側）のサイドシート２の内側の端２ｅは、吸収体１０の一方側の端１０ｅより外側（左側）に位置しており、他方側（例えば、（図１の右側）のサイドシート２の内側の端２ｅは、吸収体１０の他方側の端１０ｅより外側（右側）に位置している。
【００３５】
ここでいう「吸収体１０の端１０ｅ」とは、吸収体１０のうち、幅方向において最も外側に位置する部分をいう。本実施形態においては、長手方向の前側に位置する端１０ｅｔと、長手方向の略中央に位置する端１０ｅｍと、長手方向の後側に位置する端１０ｅｂを有している。
【００３６】
セカンドシート４は、白色の液透過性のシートであり、トップシート３と同じエアスルー不織布等を例示できる。セカンドシート４は、吸収体１０の肌側面上に設けられ、経血等の排泄物の逆戻り防止、排泄物の拡散向上、及びクッション性の向上、吸収体１０に吸収された経血等の排泄物の色を調整する等の役割を果たす。セカンドシート４は、ナプキン１の幅方向の中央部に設けられており、長手方向の長さはナプキン１の前側端部から後側端部までであり、幅方向の長さは、吸収体１０より短く、セカンドシート４の幅方向の各端４ｅは、吸収体１０の各端１０ｅより内側に位置している。
【００３７】
ナプキン本体部２０の厚さ方向における非肌側面（つまりバックシート５の非肌側面）には、本体部用粘着部２１が設けられている。ナプキン１の使用時に本体部用粘着部２１は下着等の肌側面に貼り付けられ、これによりナプキン１は下着等に固定される。図２に示す本体部用粘着部２１では、長手方向に長辺を有する長方形状の３個の粘着部が長手方向に間隔を空けて並ぶと共に、その３個の粘着部の列が幅方向に間隔を空けて８列並ぶ。
【００３８】
同様に各ウィング部３０の厚さ方向における非肌側面（つまりバックシート５の非肌側面）には、ウィング部用粘着部３１が設けられている。ナプキン１の使用時にウィング部３０は非肌側に折り曲げられ、ウィング部用粘着部３１は下着等の非肌側面に貼り付けられ、これによりナプキン１は下着等に固定される。図２に示すウィング部用粘着部３１は長手方向に長辺を有する長方形状の粘着部である。
【００３９】
吸収体１０は、排泄物を吸収して内部に保持する部材であり、吸収性コア１２と、吸収性コア１２よりも厚さ方向の肌側に上層シート１１と、吸収性コア１２よりも厚さ方向の非肌側に下層シート１３とを有しており、各部材１１〜１３は厚さ方向に積層されている。吸収性コア１２は、液体吸収性繊維を有するものであればよく、パルプ繊維等の液体吸収性繊維に高吸収性ポリマー（所謂ＳＡＰ）を含有するものを例示できる。上層シート１１は、液透過性のシートであり、ティッシュペーパー等を例示できる。下層シート１３は、液透過性のシートであっても液不透過性のシートであってもよく、ＳＭＳ（スパンボンド／メルトブローン／スパンボンド）不織布等を例示できる。吸収性コア１２、上層シート１１及び下層シート１３は、平面形状が同じであってもよく、平面形状が異なるものであってもよい。また、各部材１１〜１３は接着剤によって互いに接合されていても接合されていなくてもよいとする。なお、上層シート１１、吸収性コア１２、及び下層シート１３は、それぞれ白色であり、吸収体１０は全体として白色である。
【００４０】
吸収体１０、セカンドシート４、トップシート３はいずれも白色であるが、本実施形態において、吸収体１０とセカンドシート４とトップシート３のうち、吸収体１０の白色度が最も高く、続いてセカンドシート４、トップシート３の順に白色度が低くなっている。「白色度」とは、表面色の白さの程度を表すものであり、標準光源Ｄ６５での白と認められる表面色を白色度の指数によって表示するもので、分光測色計を用い、試料の照明１２００ｌｘで計測して求めることができる。トップシート３より白色度の高いセカンドシート４を用いて、吸収体１０で吸収された経血等の排泄物の色を緩和しつつ、セカンドシート４の方が吸収体１０より白色度が低いことで、セカンドシート４を介して吸収体１０を視認することができる。また、吸収体１０とセカンドシート４とトップシート３のうち、吸収体１０の光透過率が最も低く、続いてセカンドシート４、トップシート３の順に光透過率が高くなっている。「光透過率」は、光が物質を透過する割合を、透過後の光の量と透過前の光の量との比で表したもので、分光光度計や光電光度計を用いて計測した割合である。本実施形態においては、吸収体１０の一部（吸収体１０の幅方向の中央部）がセカンドシート４によって覆われた部分についても、吸収体１０より光透過率の高いセカンドシート４を用いることで、肌側から見たときに、セカンドシート４によって吸収体１０が覆い隠されてしまう恐れを軽減することができる。
【００４１】
また、吸収体１０には、厚さ方向の肌側に突出して折れ曲がるように誘導する折り誘導部１４が設けられている。そのため、ナプキン１の着用時に、着用者の脚の挟み込みの力が作用すると、吸収体１０の長手方向の中央領域は、幅方向の側部から中央部に向かって肌側に凸となる形状に変形し、着用者の排泄口（膣口）に密着し易くさせている。さらに、吸収体１０には、後側欠損部１５、前側欠損部１６、一対の後側切欠き部１７、及び一対の前側切欠き部１８が設けられている。
【００４２】
また、ナプキン１には、厚さ方向の肌側から非肌側に向かって凹んだ部位であり、隣接する部位に比べて液体吸収性繊維の密度の高い圧搾部４０（凹部）が複数設けられている。圧搾部４０では、トップシート３、セカンドシート４、及び吸収体１０の厚さ方向の全域が、厚さ方向の肌側から圧搾（エンボス加工）され、接合一体化されている。また、圧搾部４０とそれに隣接する部位とで液体吸収性繊維の目付が等しいとし、圧搾部４０では液体吸収性繊維の圧搾によってその密度が高くなったとする。なお、上記に限らず、吸収体１０にのみ圧搾部４０を設けたり、トップシート３から吸収性コア１２の厚さ方向肌側の一部までにしか圧搾部４０を設けなかったり、バックシート５から吸収体１０に圧搾部４０を設けたりしてもよい。
【００４３】
包装材５０は、ナプキン１を個別に包装する白色のシート部材であり、プラスチックフィルム、ナイロンフィルム等の各種フィルムや、不織布、不織布をラミネート加工したフィルム等から形成されている。この包装材５０は、ナプキン１の使用前においてはナプキン１の厚さ方向に重ね合せられた状態で接合されており、ナプキン１を使用する際には、ナプキン１から取り外される。なお、ナプキン１と包装材５０とは、バックシート５に設けられた本体部用粘着部２１及びウィング部用粘着部３１によって接合されている。
【００４４】
また、包装材５０の前側端部には、折り畳まれた状態のナプキン１を保持するためのテープ５１が設けられている。テープ５１は、折り畳まれた状態のナプキン１を展開（開封）する際に、使用者によって引っ張られる。
【００４５】
＜個包装体１００について＞
図１に示すように、本実施形態のナプキン１には、長手方向に沿った長手方向折り目として、幅方向の一方側（図１の左側）の第１長手折り目Ｑ１と、幅方向の他方側（図１の右側）の第２長手折り目Ｑ２、及び幅方向に沿った幅方向折り目として、長手方向の前側の第１幅折り目Ｐ１と、長手方向の後側の第２幅折り目Ｐ２を有している。これらの各折り目Ｐ１、Ｐ２、Ｑ１、Ｑ２を起点として、ナプキン１及び包装材５０が長手方向や幅方向に折り畳まれることにより、個包装体１００（図６Ａ）が形成される。
【００４６】
本実施形態においては、まず、第１長手折り目Ｑ１を基点として、厚さ方向に重ねられた状態のナプキン１及び包装材５０の幅方向の一端側（図１の左側）が内側に折り畳まれる。続いて、第２長手折り目Ｑ２を基点として、ナプキン１及び包装材５０の幅方向の他端側（図１の右側）が内側に折り畳まれる。さらに、第２幅折り目Ｐ２を基点として、ナプキン１及び包装材５０の長手方向の一端側が内側に折り畳まれる。最後に、第１折り目Ｐ１を基点として、ナプキン１及び包装材５０の長手方向の他端側（図１の前側）が内側に折り畳まれて、テープ５１によって折り畳まれた状態が保持される。
【００４７】
＜ナプキン１を肌側から見たときの状態について＞
以下、ナプキン１を肌側からみたときの状態について説明する。図１及び図３に示すように、ナプキン１の幅方向における一方側（図１及び図３における左側）のサイドシート２の内側の端２ｅは、吸収体１０の一方側の端１０ｅより外側（より左側）に位置しており、幅方向における他方側（図１及び図３における右側）のサイドシート２の内側の端２ｅは、吸収体１０の他方側の端１０ｅより外側（より右側）に位置している。つまり、図３に示すように、吸収体１０の幅方向における各端１０ｅは、いずれのサイドシート２によっても覆われていないため、吸収体１０の厚さ方向の肌側には、トップシート３のみが配置されている。
【００４８】
そのため、着用者等がナプキン１を使用する際等に、ナプキン１を肌側から見た場合、吸収体１０より肌側に、トップシート３とサイドシート２が設けられている場合よりも、吸収体１０の端１０ｅをより視認しやすくなる。トップシート３とサイドシート２がいずれも白色である場合でも、厚さ方向に重ねる部材が多いほど、その重ねた部材を介して吸収体１０を見ると、吸収体１０の端１０ｅを視認しにくくなるからである。
【００４９】
本実施形態のナプキン１においては、幅方向において、一方側のサイドシート２の内側の端２ｅと吸収体１０の端１０ｅとの間が所定距離だけ離れており、同様に、他方側のサイドシート２の内側の端２ｅと吸収体の端１０ｅとの間が所定距離だけ離れている。
【００５０】
同様に、ナプキン１の幅方向の中央部に配置されたセカンドシート４の幅方向の長さが吸収体１０の幅方向の長さより短いため、セカンドシート４の各端４ｅは、吸収体１０の端１０ｅより幅方向の内側に位置している。そのため、吸収体１０の端１０ｅがセカンドシート４によって覆われた場合より、吸収体１０の端１０ｅをより視認しやすくなる。
【００５１】
さらに、肌側からナプキン１を見ると、吸収体１０の白色と、バックシート５の桃色を視認することができる。これにより、白色の吸収体１０の端１０ｅと白色のサイドシート２の内側の端２ｅの間の領域にバックシート５の桃色の領域を視認することができるため、色の境界によって、吸収体１０の端１０ｅを認識しやすくすることができる。
【００５２】
また、本実施形態においては、白色の吸収体１０と桃色に着色したバックシート５を有することとしたが、これに限られない。任意の色、例えば緑色に着色した吸収体１０と白色のバックシート５を用いてもよい。このとき、肌側からナプキン１を見ると、吸収体１０の端１０ｅとサイドシート２の内側の端２ｅとの間の領域は白色となり、吸収体１０の端部の緑色との色の境界によって、吸収体１０の端１０ｅを認識しやすくすることができる。なお、吸収体１０の着色は、上層シート１１を着色してもよいし、吸収性コア１２に含有されたパルプ繊維等の液体吸収性繊維を着色してもよい。
【００５３】
このように、肌側からナプキン１を見たとき、吸収体１０とバックシート５の色が異なっていることで、吸収体１０の端１０ｅとサイドシート２の内側の端２ｅとの間の領域に見えるバックシート５の色と、吸収体１０の端部の色との境界を認識しやすくなり、吸収体の端１０ｅをより視認しやすくなるため、着用者は着用予定のナプキン１の構成を知ることができる。
【００５４】
なお、吸収体１０とバックシート５の両方を着色していてもよい。例えば、吸収体１０を緑色、バックシート５を桃色とした場合においても、吸収体１０の端１０ｅを認識しやすくすることができる。このとき、吸収体１０の色とバックシート５の色を異なる色にすることが好ましい。
【００５５】
続いて、展開された状態のナプキン１を肌側から見たときの色の違いについて詳細に説明する。図４は、展開された状態のナプキン１を肌側から見た状態を説明する図である。展開された状態のナプキン１の領域の色は、厚さ方向に重ねられた部材の種類や数に応じて異なっており、図４において、肌側から見たときに色が異なる領域を、異なるハッチングで示している。なお、図４において、便宜上、圧搾部４０は省略されている。
【００５６】
図４における領域Ａ（図４の右下がりの斜線を施した部分）は、トップシート３とセカンドシート４と吸収体１０とバックシート５とが重ねられた領域である。領域Ｂ（図４の水平線を施した部分）は、トップシート３と吸収体１０とバックシート５とが重ねられた領域である。領域Ｃ（図４の左下がりの２重斜線を施した部分）は、トップシート３とセカンドシート４とバックシート５とが重ねられた領域である。領域Ｄ（図４のクロス模様を施した部分）は、トップシート３とバックシート５とが重ねられた領域である。領域Ｅ（図４の左下がりの斜線を施した部分）は、サイドシート２とトップシート３とバックシート５とが重ねられた領域である。領域Ｆ（図４の右下がりの３重斜線を施した部分）は、サイドシート２とバックシート５とが重ねられた領域である。領域Ｇは、包装材５０が設けられた領域である。
【００５７】
本実施形態において、サイドシート２、トップシート３、セカンドシート４、吸収体１０、包装材５０は、それぞれ白色であり、バックシート５は桃色である。このとき、バックシート５に重ねた部材の数が少ないほど、又は、バックシート５に重ねた部材の光透過率が高いほど、バックシート５の色を視認することができる。領域Ａ〜Ｆのうち、バックシート５に重ねられた部材がトップシート３のみである領域Ｄが、他の領域Ａ、Ｂ、Ｃ、Ｅ、Ｆよりもバックシート５の色を視認することができる。つまり、領域Ｄの色が最も濃く見える。なお、領域Ｇを考慮しても、包装材５０が白色であることから、領域Ｄが最も色が濃い部分である。
【００５８】
図５は、吸収体１０の端部領域（領域ｂ）の幅方向の外側から隣接する各領域について説明する図である。図４に示した各領域Ａ〜Ｇを前提として、図５に領域ｂ、領域ｄ、領域ｅ、領域ｆ、及び領域ｇを示している。領域Ｂのうち、吸収体１０の端１０ｅ（１０ｅｔ、１０ｅｍ、１０ｅｂ）を基準とした吸収体１０の端部領域は領域ｂである。領域Ｄのうち、領域ｂに幅方向の外側から隣接する領域は領域ｄ（第１領域）である。領域Ｅのうち、領域ｄに幅方向の外側から隣接する領域は領域ｅ（第２領域）である。領域Ｆのうち、領域ｅに幅方向の外側から隣接する領域は領域ｆ（第３領域）である。領域Ｇのうち、領域ｆに幅方向の外側から隣接する領域は領域ｇ（包装領域）である。本実施形態においては、領域ｂ、領域ｄ、領域ｅ、領域ｆ、及び領域ｇを図５に示す範囲としたが、端１０ｅを基準とした領域であれば、これに限られず、図４の各領域が変化すれば図５の各領域も対応して変化する。
【００５９】
このとき、肌側からナプキン１を見たとき、領域ｂと領域ｄと領域ｅのうち、バックシート５の色によって最も濃い色に見える領域は、領域ｄである。この領域ｄは、サイドシート２の内側の端２ｅと吸収体１０の端１０ｅとの間の領域である。そのため、領域ｄの色が最も濃く見えることによって、領域ｄに隣接する領域ｂとの境界を視認しやすくなる。その結果、吸収体１０の端１０ｅをより認識しやすくなる。
【００６０】
同様に、領域ｂと領域ｄと領域ｅと領域ｆのうち、バックシート５の色によって、最も濃い色に見える領域は、領域ｄである。さらに、領域ｂと領域ｄと領域ｅと領域ｆと領域ｇのうち最も濃い色に見える部分も領域ｄである。
【００６１】
このように、吸収体１０の端１０ｅの幅方向の外側から隣接する領域ｄの色が、幅方向においてそれぞれ隣接する領域ｂ、ｅ、ｆ、ｇより濃いことによって、肌側から見た場合に、吸収体１０の端１０ｅを視認しやすくなるため、吸収体１０の輪郭をより認識しやすくなる。これによって、着用者は、使用するナプキン１の構成を予め知ることができるため、安心して着用することができる。
【００６２】
また、本実施形態においては、白色の吸収体１０の端１０ｅを認識する際に、桃色に着色したバックシート５の色が最も良く見える領域ｄを視認することで、領域ｂと、最も色の濃い領域ｄとの色の違いによって視認しやすくしたが、これに限られない。例えば、緑色に着色した吸収体１０と、白色のバックシート５を用いた場合については、図４における領域Ｄが、厚さ方向に積層された部材が最も少なくなり、またバックシート５の白色が最も良く見える領域となり、最も色の薄い領域となる。このように、着色した吸収体１０に対して、吸収体１０の端１０ｅの幅方向の外側に隣接する領域ｄが最も色の薄い領域とすることで、領域ｂと幅方向の外側に隣接する領域ｄの色の違いを視認しやすくすることができ、吸収体１０の輪郭を認識しやすくなる。
【００６３】
＜個包装体１００の開封について＞
図６Ａは、個包装体１００を説明する図である。図６Ｂは、個包装体１００の一部を展開したナプキン１を説明する図である。図６Ｃは、図６Ｂから更に一部を展開したナプキン１を説明する図である。図６Ｄは、図６Ｃから更に一部を展開したナプキン１を説明する図である。図６Ｅは、図６Ｄから更に一部を展開したナプキン１を説明する図である。図６Ｆは、図６Ｅから包装材を除いたナプキン１を説明する図である。図６Ａ〜図６Ｄにおいて、包装材５０を介して視認できるナプキン１の外形を点線で示している。
【００６４】
図６Ａは、図１における長手折り目Ｑ１、Ｑ２、幅折り目Ｐ１、Ｐ２を基点としてそれぞれ折り畳まれた状態の個包装体１００を示している。このとき、包装材５０が白色であるのに対し、バックシート５が桃色であるため、包装材５０を介してナプキン１の外形を薄ら視認することができる。このとき、吸収体１０の輪郭（吸収体１０の端１０ｅ）を視認することは困難である。
【００６５】
続いて、テープ５１を引っ張って、図６Ｂに示すように、第２幅折り目Ｐ２を基点に展開し、図６Ｃに示すように第１幅折り目Ｐ１を基点に展開している。これにより、長手方向に完全に展開した状態となる。これらの状態においても、吸収体１０は、包装材５０やバックシート５等によって覆われているため、吸収体１０の輪郭（吸収体１０の端１０ｅ）を視認することは困難である。
【００６６】
さらに、第２長手折り目Ｑ２を基点に展開することで、図６Ｄに示すように、トップシート３の少なくとも一部が露出された状態となる。このとき、サイドシート２の内側の端２ｅを吸収体１０の端１０ｅより外側に設けることで、吸収体１０の端１０ｅを視認しやすくし、吸収体１０の輪郭をより認識させることができる。
【００６７】
最後に、第１長手折り目Ｑ１を基点に展開することで、図６Ｅに示すように、ナプキン１の全体形状を視認することができ、その後、図６Ｆに示すように、包装材５０を取り除くことで、ナプキン１を着用する状態とすることができる。
【００６８】
このように、図６Ｅや図６Ｆのように、各折り目Ｐ１、Ｐ２、Ｑ１、Ｑ２を全て展開した状態だけでなく、図６Ｄに示すように、一部の折り目で展開され（Ｐ１，Ｐ２、Ｑ２）、一部の折り目では展開されていない状態においても（Ｑ１）、吸収体１０の輪郭を視認することができる。そのため、例えば、着用者が図６Ｄの状態から、図６Ｅの状態を経ることなく、包装材５０を取り除いたような場合であっても、着用者は、図６Ｄの状態で、吸収体１０の輪郭の少なくとも一部を視認することができるため、予め着用する予定のナプキン１の構成を認識することが可能となる。
【００６９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００７０】
上記の実施形態では、白色のセカンドシート４を設けたが、必ずしもこれに限られない。任意の着色を施したセカンドシート４を用いても良いし、セカンドシート４を有しないナプキン１であっても良い。なお、セカンドシート４を有しないナプキン１である場合、肌側から見た場合に、吸収体１０の幅方向の端のみならず、長手方向の端についてもトップシート３のみを介して視認することができるため、より吸収体１０の輪郭を認識しやすくなる。
【００７１】
上記の実施形態では、吸収体１０の全面が白色で、バックシート５の全面が桃色である場合について説明したが、これに限られない。吸収体１０又はバックシート５の一部を着色してもよい。例えば、吸収体１０の端部のみを着色して、吸収体１０の端１０ｅをより視認しやすくしてもよい。
【００７２】
上記の実施形態では、サイドシート２、トップシート３、セカンドシート４、吸収体１０、バックシート５、及び包装材５０を有するナプキン１及び包装体１００としたが、これに限られない。これらの各部材に加えて、レッグギャザー等の他の部材を設けていてもよい。
【００７３】
さらに、上記の実施形態においては、２つの幅方向に沿った折り目（Ｐ１、Ｐ２）と、２つの長手方向に沿った折り目（Ｑ１、Ｑ２）を有するナプキン１、及び包装体１００について説明したが、これに限られない。図７Ａ〜図７Ｅに示すように、２つの幅方向に沿った折り目を有するナプキン１、及び包装体１０１であってもよい。このとき、ウィング部用粘着部３１を保護するため、包装材５０とセパレーター５２を用いて包装している。
【００７４】
図７Ａは、別の実施形態の個包装体１０１を説明する図である。図７Ａに示すように、白色の包装材５０を介して、ナプキン１の桃色のバックシート５を視認することができるが、吸収体１０の形状は視認しづらい。図７Ｂは、個包装体１０１の一部を展開したナプキン１を説明する図であり、図７Ｃは、図７Ｂから一部を展開したナプキン１を説明する図であり、図７Ｄは、図７Ｃから一部を展開したナプキン１を説明する図である。図７Ｂの状態は、ナプキン１の肌側の前側の一部が露出されており、図７Ｃの状態は、ナプキン１の肌側の前側及び中央部が露出されており、図７Ｄの状態は、ナプキン１の肌側の長手方向の大部分が露出されている。そのため、肌側から見た場合、吸収体１０の輪郭の一部を視認することができる。さらに、図７Ｅは、図７Ｄから包装材５０を除いたナプキン１を説明する図である。図７Ｅの状態のように、包装材５０及びセパレーター５２を完全に取り除いた状態、及び図７Ｄのナプキン１の折り目を全て展開した状態で、ウィング部３０を幅方向の外側に展開した状態において、サイドシート２の内側の端２ｅが吸収体１０の端１０ｅより外側に設けられているため、着用者は、吸収体１０の端１０ｅを視認することができ、吸収体１０の輪郭を認識することができる。
【００７５】
なお、図７Ａに示す個包装体１０１より、図６Ａに示す個包装体１００の方が、折り畳まれた状態から一部を展開した状態でナプキン１の吸収体１０の端１０ｅを視認することができるため、より好ましい。つまり、個包装体１０１では包装材５０を取り除いた状態（図７Ｅ）で吸収体１０の端１０ｅを視認できることになるが、個包装体１００においては、ナプキン１の第２長手折り目Ｑ２を基点に展開した状態（図６Ｄ）で吸収体１０の端１０ｅを視認することができるため、より速い段階で吸収体１０の輪郭を認識することができる。
【００７６】
上記の実施形態では、本発明の吸収性物品を生理用ナプキンとしているがこれに限らず、本発明の吸収性物品を例えばパンティーライナー、尿取りパッド、使い捨ておむつ等に利用してもよい。
【符号の説明】
【００７７】
１  （生理用）ナプキン（吸収性物品）、２  サイドシート、２ｅ  内側の端、３  トップシート（肌側シート）、４  セカンドシート（シート部材）、４ｅ  端、５  バックシート（非肌側シート）、１０  吸収体、１０ｅ  端、１０ｅｔ、１０ｅｍ、１０ｅｂ  端、１１  上層シート、１２  吸収性コア（液体吸収性繊維）、１３  下層シート、１４  折り誘導部、１５  後側欠損部、１６  前側欠損部、１７  後側切欠き部、１８  前側切欠き部、２０  ナプキン本体部、２１  本体部用粘着部、３０  ウィング部、３１  ウィング部用粘着部、４０  圧搾部、５０  包装材、５１  テープ、１００、１０１  包装体、Ｐ１  第１幅折り目、Ｐ２  第２幅折り目、Ｑ１  第１長手折り目、Ｑ２  第２長手折り目、Ａ、Ｂ、Ｃ、Ｄ、Ｅ、Ｆ、Ｇ  領域、ｂ  領域（端部領域）、ｄ  領域（第１領域）、ｅ  領域（第２領域）、ｆ  領域（第３領域）、ｇ  領域（包装領域）
【図１】
2017176741.tif 000003
【図２】
2017176741.tif 000004
【図３】
2017176741.tif 000005
【図４】
2017176741.tif 000006
【図５】
2017176741.tif 000007
【図６】
2017176741.tif 000008
【図７】
2017176741.tif 000009
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
互いに直交する長手方向、幅方向、及び厚さ方向を有し、
吸収体と、
前記幅方向の両端部に設けられた一対のサイドシートとを有する吸収性物品であって、
一対の前記サイドシートは、貫通孔を有さず、
前記幅方向において、一方側の前記サイドシートの内側の端は、前記吸収体の前記一方側の端より外側に位置しており、
前記幅方向において、他方側の前記サイドシートの内側の端は、前記吸収体の前記他方側の端より外側に位置しており、
肌側から前記吸収性物品を見たときに前記吸収体の前記一方側の端及び前記他方側の端を視認可能であり、
前記厚さ方向において、前記吸収体より肌側に配置された肌側シートと、
前記厚さ方向において、前記吸収体より非肌側に配置された非肌側シートを有しており、
肌側から前記吸収性物品を見たときの、
前記肌側シートと重なった前記吸収体の前記幅方向における端部領域の色と、
前記肌側シートと前記非肌側シートを備え、前記端部領域に前記幅方向の外側から隣接する第１領域の色と、
前記肌側シートと前記サイドシートと前記非肌側シートとを備え、前記第１領域に前記幅方向の外側から隣接する第２領域の色のうち、
前記第１領域の色が、最も濃いこと、又は、最も薄いことを特徴とする吸収性物品。
【請求項２】
請求項１に記載の吸収性物品であって、
前記吸収体の色と、前記非肌側シートの肌側面の色とが異なっていることを特徴とする吸収性物品。
【請求項３】
請求項２に記載の吸収性物品であって、
前記吸収体が着色されていることを特徴とする吸収性物品。
【請求項４】
請求項２又は３に記載の吸収性物品であって、
前記非肌側シートの少なくとも肌側面が着色されていることを特徴とする吸収性物品。
【請求項５】
請求項１〜４のいずれかに記載の吸収性物品であって、
肌側から前記吸収性物品を見たときの、
前記端部領域の色と、
前記第１領域の色と、
前記第２領域の色と、
前記サイドシートと前記非肌側シートとを備え、前記第２領域に前記幅方向の外側から隣接する第３領域の色のうち、
前記第１領域の色が、最も濃いこと、又は、最も薄いことを特徴とする吸収性物品。
【請求項６】
請求項５に記載の吸収性物品であって、
前記非肌側シートより非肌側に、吸収性物品を包装する包装材を有しており、
肌側から前記吸収性物品を見たときの、
前記端部領域の色と、
前記第１領域の色と、
前記第２領域の色と、
前記第３領域の色と、
前記包装材を備え、前記第３領域に前記幅方向の外側から隣接する包装領域の色のうち、
前記第１領域の色が、最も濃いこと、又は、最も薄いことを特徴とする吸収性物品。
【請求項７】
請求項１から６のいずれか１項に記載の吸収性物品であって、
前記厚さ方向において、前記吸収体と前記肌側シートの間に配置されたシート部材とを有し、
前記幅方向において、前記シート部材は、前記吸収性物品の中央部に配置されており、
前記シート部材の前記幅方向における最も長い部分の長さは、前記吸収体の前記幅方向における最も長い部分の長さより短いことを特徴とする吸収性物品。
【請求項８】
互いに直交する長手方向、幅方向、及び厚さ方向を有し、
吸収体と、
前記幅方向の両端部に設けられた一対のサイドシートとを有する吸収性物品であって、
一対の前記サイドシートは、貫通孔を有さず、
前記幅方向において、一方側の前記サイドシートの内側の端は、前記吸収体の前記一方側の端より外側に位置しており、
前記幅方向において、他方側の前記サイドシートの内側の端は、前記吸収体の前記他方側の端より外側に位置しており、
肌側から前記吸収性物品を見たときに前記吸収体の前記一方側の端及び前記他方側の端を視認可能であり、
前記厚さ方向において、前記吸収体より肌側に配置された肌側シートと、
前記厚さ方向において、前記吸収体と前記肌側シートの間に配置されたシート部材とを有し、
前記幅方向において、前記シート部材は、前記吸収性物品の中央部に配置されており、
前記シート部材の前記幅方向における最も長い部分の長さは、前記吸収体の前記幅方向における最も長い部分の長さより短く、
前記シート部材の光透過率が前記吸収体の光透過率より高いことを特徴とする吸収性物品。
【請求項９】
請求項１から８のいずれか１項に記載の吸収性物品であって、
前記厚さ方向において、前記吸収体より非肌側に配置された非肌側シートと、
前記非肌側シートより非肌側に、吸収性物品を包装する包装材とを有しており、
前記肌側シートを内側にして折り畳まれた状態において、前記包装材及び前記非肌側シートを介して、前記吸収体の端を視認した場合よりも、
折り畳まれた状態から少なくとも一部が展開された状態において、前記肌側シートを介して前記吸収体の端を視認した場合の方が、前記吸収体の端をより視認できることを特徴とする吸収性物品。
【手続補正２】
【補正対象書類名】明細書
【補正対象項目名】０００６
【補正方法】変更
【補正の内容】
【０００６】
上記目的を達成するための主たる発明は、互いに直交する長手方向、幅方向、及び厚さ方向を有し、吸収体と、前記幅方向の両端部に設けられた一対のサイドシートとを有する吸収性物品であって、一対の前記サイドシートは、貫通孔を有さず、前記幅方向において、一方側の前記サイドシートの内側の端は、前記吸収体の前記一方側の端より外側に位置しており、前記幅方向において、他方側の前記サイドシートの内側の端は、前記吸収体の前記他方側の端より外側に位置しており、肌側から前記吸収性物品を見たときに前記吸収体の前記一方側の端及び前記他方側の端を視認可能であり、前記厚さ方向において、前記吸収体より肌側に配置された肌側シートと、前記厚さ方向において、前記吸収体より非肌側に配置された非肌側シートを有しており、肌側から前記吸収性物品を見たときの、前記肌側シートと重なった前記吸収体の前記幅方向における端部領域の色と、前記肌側シートと前記非肌側シートを備え、前記端部領域に前記幅方向の外側から隣接する第１領域の色と、前記肌側シートと前記サイドシートと前記非肌側シートとを備え、前記第１領域に前記幅方向の外側から隣接する第２領域の色のうち、前記第１領域の色が、最も濃いこと、又は、最も薄いことを特徴とする吸収性物品である。
本発明の他の特徴については、本明細書及び添付図面の記載により明らかにする。